(57)【要約】【課題】設定画面に表示された入力値の入力エリアに入力値を入力する際に使用されるキー画面に、入力が受け付けられない入力値のソフトキーが無駄に表示されてユーザーの操作性を妨げるとか、エラー音が発生する場合のエラー音が煩わしいという問題を解決することができる表示装置等を提供する。【解決手段】数値入力が可能な入力エリア２６１〜２６９を有する設定画面、入力エリアに入力値を入力するためのソフトキーを有するキー画面３００とが、表示手段２６０の同一画面内に表示される。表示された入力エリアで受け付け可能な入力値の範囲が判定され、判定された受付可能な範囲の入力値に対応するソフトキーのみが、キー画面３００に表示される。受付可能な範囲の入力値に対応するソフトキーのうち、共通キーがキー画面の固定領域に表示され、個別キーがキー画面の可変領域に表示される。【選択図】図９
2017151747.tif 000002
【特許請求の範囲】
【請求項１】
入力値の入力エリアを有する設定画面と、前記入力エリアに入力値を入力するためのソフトキーを有するキー画面とを、同一画面内に表示可能な表示手段と、
前記表示手段に表示された入力エリアで受け付け可能な入力値の範囲を判定する判定手段と、
前記判定手段により判定された受付可能な範囲の入力値を入力するためのソフトキーのみを、前記キー画面に表示する表示制御手段と、
を備え、
前記キー画面は、ソフトキーの可変表示ができない固定領域と可変表示が可能な可変領域とを有し、
前記ソフトキーは、各入力エリアにおいて共通して使用される共通キーと、前記共通キー以外の個別キーとを有し、
前記表示制御手段は、前記判定手段により判定された受付可能な範囲の入力値を入力するためのソフトキーのうち、前記共通キーを前記キー画面の固定領域に表示し、前記個別キーを前記キー画面の可変領域に表示することを特徴とする表示装置。
【請求項２】
前記キー画面はソフトテンキー画面であり、前記共通キーは数値を入力するための数値キーであり、前記個別キーは数値キー以外のキーである請求項１に記載の表示装置。
【請求項３】
前記表示手段に表示された設定画面は、受付可能な入力値の範囲が異なる複数の入力エリアを有しており、
前記表示制御手段は、該複数の入力エリアのうちユーザーによって選択された入力エリアに応じて、前記キー画面の可変領域に表示される個別キーを切り替える請求項１または２に記載の表示装置。
【請求項４】
前記入力エリアで受付可能な入力値の範囲と入力エリアの種別とを対応付けて管理するとともに、入力エリアの種別と各入力エリアとを対応付けて管理する管理テーブルを記憶する記憶手段を備え、
前記判定手段は、判定対象の入力エリアにおける受付可能な入力値の範囲を前記管理テーブルに基づいて判定する請求項１〜３のいずれかに記載の表示装置。
【請求項５】
請求項１〜４のいずれかに記載の表示装置を備えると共に、画像データを用紙に印刷する印刷手段、原稿の画像を読み取って画像データに変換する画像読取手段、ファクシミリ送受信手段の少なくともいずれかを備え、
前記入力エリアを有する設定画面は、前記印刷手段に対して印刷設定を行うための設定画面、前記画像読取手段に対して読取設定を行うための設定画面、前記ファクシミリ送受信手段に対して送信または受信設定を行うための設定画面の少なくともいずれかであることを特徴とする画像形成装置。
【請求項６】
入力値の入力エリアを有する設定画面と、前記入力エリアに入力値を入力するためのソフトキーを有するキー画面とを表示手段の同一画面内に表示する表示ステップと、
前記表示手段に表示された入力エリアで受付可能な入力値の範囲を判定する判定ステップと、
前記判定ステップにより判定された受付可能な範囲の入力値を入力するためのソフトキーのみを、前記キー画面に表示する表示制御ステップと、
を備え、
前記キー画面には、ソフトキーの可変表示ができない固定領域と可変表示が可能な可変領域とを有し、
前記ソフトキーは、各入力エリアにおいて共通して使用される共通キーと、前記共通キー以外の個別キーとを有し、
前記表示制御ステップでは、前記判定ステップにより判定された受付可能な範囲の入力値を入力するためのソフトキーのうち、前記共通キーを前記キー画面の固定領域に表示し、前記個別キーを前記キー画面の可変領域に表示することを特徴とする表示装置におけるキー画面の表示方法。
【請求項７】
前記キー画面はソフトテンキー画面であり、前記共通キーは数値を入力するための数値キーであり、前記個別キーは数値キー以外のキーである請求項６に記載の表示装置におけるキー画面の表示方法。
【請求項８】
前記表示手段に表示された設定画面は、受付可能な入力値の範囲が異なる複数の入力エリアを有しており、
前記表示制御ステップでは、該複数の入力エリアのうちユーザーによって選択された入力エリアに応じて、前記キー画面の可変領域に表示される個別キーを切り替える請求項６または７に記載の表示装置におけるキー画面の表示方法。
【請求項９】
前記表示装置は、前記入力エリアで受付可能な入力値の範囲と入力エリアの種別とを対応付けて管理するとともに、入力エリアの種別と各入力エリアとを対応付けて管理する管理テーブルを記憶する記憶手段を備え、
前記判定ステップでは、判定対象の入力エリアにおける受付可能な入力値の範囲を前記管理テーブルに基づいて判定する請求項６〜８のいずれかに記載の表示装置におけるキー画面の表示方法。
【請求項１０】
前記表示装置を備えた画像形成装置が、請求項６〜９のいずれかに記載の表示方法を実行するとともに、画像形成装置はさらに、画像データを用紙に印刷する印刷ステップ、原稿の画像を読み取って画像データに変換する原稿読取ステップ、ファクシミリ送受信ステップの少なくともいずれかを実行し、
前記入力エリアを有する設定画面は、前記印刷ステップにおける印刷設定を行うための設定画面、前記原稿読取ステップにおける読取設定を行うための設定画面、前記ファクシミリ送受信ステップにおける送信または受信設定を行うための設定画面の少なくともいずれかであることを特徴とする画像形成装置におけるキー画面の表示方法。
【請求項１１】
請求項６〜１０のいずれかに記載の表示装置におけるキー画面の表示方法を、表示装置のコンピュータに実行させるためのキー画面の表示プログラム。
【請求項１２】
請求項１０に記載の画像形成装置におけるキー画面の表示方法を画像形成装置のコンピュータに実行させるためのキー画面の表示プログラム。
【発明の詳細な説明】
【技術分野】
【０００１】
この発明は、画像形成装置の操作パネル等に適用される表示装置、この表示装置を備えた画像形成装置、表示装置または画像形成装置におけるキー画面の表示方法及びキー画面の表示プログラムに関する。
【背景技術】
【０００２】
例えば、コピー機能、プリンタ機能、ファクシミリ機能、スキャン機能等の複数の機能を有するＭＦＰ（Multi Function Peripheral）と称される画像形成装置として、従来より、ユーザーが印刷設定等の各種の設定を行うために、操作パネルの表示部に、入力値の入力エリアを有する設定画面を表示させるとともに、入力エリアに入力値を入力するときにソフトキーを有するキー画面を同時に表示させ、このキー画面内のソフトキーをユーザーがタッチして入力エリアへの入力値の入力を行うように構成されたものが知られている。
【０００３】
ところで、入力エリアで受け付けられる入力値は各入力エリアによって相違する。例えば、印刷部数を入力する入力エリアでは数値のみが受け付けられる。また、印刷倍率や用紙サイズの入力エリアでは、数値に加えて小数点が受け付けられる。また、ファクシミリの宛先設定やＦコードの入力エリアでは、数値に加えて＃や＊が受け付けられる。また、ページ番号の入力エリアでは、数値に加えて＊が受け付けられる。
【０００４】
このように、入力エリアで受け付けられる入力値は各入力エリアによって相違するにもかかわらず、従来では、いずれの入力エリアが選択されても、図  に示すように、数値、小数点、＃及び＊の全ての入力値に対応する全てのソフトキーがキー画面に表示されており、従って入力が受け付けられない入力値のソフトキーも表示されていた。
【０００５】
しかしながら、入力エリアへの入力値の入力に際し、入力が受け付けられない入力値のソフトキーが表示されていると、以下に述べるような問題があった。
【０００６】
なお、特許文献１には、タッチ画面に表示された文字入力キーを含むソフトウェアキーに対する入力操作モードをトグル入力又はフリック入力に切り替え、切り替えられた入力操作モードに従い文字入力キーへの操作に応じた文字を入力する入力制御部と、文字入力キーへの操作の次の操作で入力が可能となる入力候補文字を、入力操作モードに従い遷移させて表示する表示制御部と、を有する入力装置が開示されている。
【先行技術文献】
【特許文献】
【０００７】
【特許文献１】特開２０１４−２３８７０４号公報
【発明の概要】
【発明が解決しようとする課題】
【０００８】
即ち、入力が受け付けられない入力値のソフトキーが表示されていると、ユーザーが入力できるものと勘違いしてソフトキーをタッチしてしまうことがあり、その分入力作業に時間がかかり操作性を妨げるという問題があった。また、入力値が受け付けられないことを知らせるため、ソフトキーがタッチされるとエラー音を発生させることも行われているが、この場合はエラー音が煩わしいという問題もあった。
【０００９】
このような問題に対し、前述した特許文献１に記載の技術は解決策を提供しうるものではなかった。
【００１０】
この発明は、このような技術的背景に鑑みてなされたものであって、設定画面に表示された入力値の入力エリアに入力値を入力する際に使用されるキー画面に、入力が受け付けられない入力値のソフトキーが無駄に表示されてユーザーの操作性を妨げるとか、エラー音が発生する場合のエラー音が煩わしいという問題を解決することができる表示装置、画像形成装置、キー画面の表示方法及びキー画面の表示プログラムの提供を課題とする。
【課題を解決するための手段】
【００１１】
上記課題は、以下の手段によって解決される。
（１）入力値の入力エリアを有する設定画面と、前記入力エリアに入力値を入力するためのソフトキーを有するキー画面とを、同一画面内に表示可能な表示手段と、前記表示手段に表示された入力エリアで受け付け可能な入力値の範囲を判定する判定手段と、前記判定手段により判定された受付可能な範囲の入力値を入力するためのソフトキーのみを、前記キー画面に表示する表示制御手段と、を備え、前記キー画面は、ソフトキーの可変表示ができない固定領域と可変表示が可能な可変領域とを有し、前記ソフトキーは、各入力エリアにおいて共通して使用される共通キーと、前記共通キー以外の個別キーとを有し、前記表示制御手段は、前記判定手段により判定された受付可能な範囲の入力値を入力するためのソフトキーのうち、前記共通キーを前記キー画面の固定領域に表示し、前記個別キーを前記キー画面の可変領域に表示することを特徴とする表示装置。
（２）前記キー画面はソフトテンキー画面であり、前記共通キーは数値を入力するための数値キーであり、前記個別キーは数値キー以外のキーである前項１に記載の表示装置。
（３）前記表示手段に表示された設定画面は、受付可能な入力値の範囲が異なる複数の入力エリアを有しており、前記表示制御手段は、該複数の入力エリアのうちユーザーによって選択された入力エリアに応じて、前記キー画面の可変領域に表示される個別キーを切り替える前項１または２に記載の表示装置。
（４）前記入力エリアで受付可能な入力値の範囲と入力エリアの種別とを対応付けて管理するとともに、入力エリアの種別と各入力エリアとを対応付けて管理する管理テーブルを記憶する記憶手段を備え、前記判定手段は、判定対象の入力エリアにおける受付可能な入力値の範囲を前記管理テーブルに基づいて判定する前項１〜３のいずれかに記載の表示装置。
（５）前項１〜４のいずれかに記載の表示装置を備えると共に、画像データを用紙に印刷する印刷手段、原稿の画像を読み取って画像データに変換する画像読取手段、ファクシミリ送受信手段の少なくともいずれかを備え、前記入力エリアを有する設定画面は、前記印刷手段に対して印刷設定を行うための設定画面、前記画像読取手段に対して読取設定を行うための設定画面、前記ファクシミリ送受信手段に対して送信または受信設定を行うための設定画面の少なくともいずれかであることを特徴とする画像形成装置。
（６）入力値の入力エリアを有する設定画面と、前記入力エリアに入力値を入力するためのソフトキーを有するキー画面とを表示手段の同一画面内に表示する表示ステップと、前記表示手段に表示された入力エリアで受付可能な入力値の範囲を判定する判定ステップと、前記判定ステップにより判定された受付可能な範囲の入力値を入力するためのソフトキーのみを、前記キー画面に表示する表示制御ステップと、を備え、前記キー画面には、ソフトキーの可変表示ができない固定領域と可変表示が可能な可変領域とを有し、前記ソフトキーは、各入力エリアにおいて共通して使用される共通キーと、前記共通キー以外の個別キーとを有し、前記表示制御ステップでは、前記判定ステップにより判定された受付可能な範囲の入力値を入力するためのソフトキーのうち、前記共通キーを前記キー画面の固定領域に表示し、前記個別キーを前記キー画面の可変領域に表示することを特徴とする表示装置におけるキー画面の表示方法。
（７）前記キー画面はソフトテンキー画面であり、前記共通キーは数値を入力するための数値キーであり、前記個別キーは数値キー以外のキーである前項６に記載の表示装置におけるキー画面の表示方法。
（８）前記表示手段に表示された設定画面は、受付可能な入力値の範囲が異なる複数の入力エリアを有しており、前記表示制御ステップでは、該複数の入力エリアのうちユーザーによって選択された入力エリアに応じて、前記キー画面の可変領域に表示される個別キーを切り替える前項６または７に記載の表示装置におけるキー画面の表示方法。
（９）前記表示装置は、前記入力エリアで受付可能な入力値の範囲と入力エリアの種別とを対応付けて管理するとともに、入力エリアの種別と各入力エリアとを対応付けて管理する管理テーブルを記憶する記憶手段を備え、前記判定ステップでは、判定対象の入力エリアにおける受付可能な入力値の範囲を前記管理テーブルに基づいて判定する前項６〜８のいずれかに記載の表示装置におけるキー画面の表示方法。
（１０）前記表示装置を備えた画像形成装置が、請求項６〜９のいずれかに記載の表示方法を実行するとともに、画像形成装置はさらに、画像データを用紙に印刷する印刷ステップ、原稿の画像を読み取って画像データに変換する原稿読取ステップ、ファクシミリ送受信ステップの少なくともいずれかを実行し、前記入力エリアを有する設定画面は、前記印刷ステップにおける印刷設定を行うための設定画面、前記原稿読取ステップにおける読取設定を行うための設定画面、前記ファクシミリ送受信ステップにおける送信または受信設定を行うための設定画面の少なくともいずれかであることを特徴とする画像形成装置におけるキー画面の表示方法。
（１１）前項６〜１０のいずれかに記載の表示装置におけるキー画面の表示方法を、表示装置のコンピュータに実行させるためのキー画面の表示プログラム。
（１２）前項１０に記載の画像形成装置におけるキー画面の表示方法を画像形成装置のコンピュータに実行させるためのキー画面の表示プログラム。
【発明の効果】
【００１２】
前項（１）及び（６）に記載の発明によれば、表示手段に表示された入力エリアで受付可能な入力値の範囲が判定され、判定された受付可能な範囲の入力値を入力するためのソフトキーのみが表示されたキー画面が、入力値の入力エリアを有する設定画面とともに表示手段の同一画面内に表示されるから、表示された入力エリアで受け付けられない入力値に対応するソフトキーが無駄に表示されるのを防止できる。その結果、ユーザーが無駄なソフトキーをタッチすることがなくなるから、入力時間が短くなり操作性が良くなる。しかも、入力値が受け付けられないことを知らせるためのエラー音が発生することもないから、エラー音が煩わしいといった問題を解消できる。
【００１３】
さらに、キー画面は、ソフトキーの可変表示ができない固定領域と可変表示が可能な可変領域とを有し、ソフトキーは、各入力エリアにおいて共通して使用される共通キーと、共通キー以外の個別キーとを有し、判定された受付可能な範囲の入力値を入力するためのソフトキーのうち、共通キーはキー画面の固定領域に表示され、個別キーはキー画面の可変領域に表示されるから、入力エリアが異なっても入力値の入力時には、共通キーを同じ位置に有するキー画面が表示されることになる。このため、共通キーと個別キーとが区別されることなく不規則に表示されて共通キーが表示される度に共通キーの位置が変わってしまい、ユーザーがキーを打ち間違えるといった不都合が発生する恐れは少なくなり、操作性のさらなる向上に資することができる。
【００１４】
前項（２）及び（７）に記載の発明によれば、ソフトテンキー画面の固定領域に数値キーが表示され、可変領域に数値キー以外のキーが表示される。
【００１５】
前項（３）及び（８）に記載の発明によれば、表示手段に表示された設定画面は、受付可能な入力値の範囲が異なる複数の入力エリアを有しており、複数の入力エリアのうちユーザーによって選択された入力エリアに応じて、キー画面の可変領域に表示される個別キーが切り替えられるから、ユーザーは入力エリアの相違を気にすることなく、受付可能なソフトキーのみが表示されたキー画面を用いて入力値を入力することができる。
【００１６】
前項（４）及び（９）に記載の発明によれば、入力エリアで受付可能な入力値の範囲と入力エリアの種別とを対応付けて管理するとともに、入力エリアの種別と各入力エリアとを対応付けて管理する管理テーブルに基づいて、判定対象の入力エリアにおける受付可能な入力値の範囲が判定されるから、入力エリア毎に受付可能な入力値の範囲を管理する煩わしさを解消することができる。
【００１７】
前項（５）及び（１０）に記載の発明によれば、ユーザーが無駄なソフトキーをタッチすることがなくなるから、操作性が良くなるえうえ、エラー音が煩わしいといった問題を解消でき、しかも共通キーが表示される度に共通キーの位置が変わってしまいユーザーがキーを打ち間違えるといった不都合が発生しない画像形成装置となる。
【００１８】
前項（１１）に記載の発明によれば、前項（６）〜（９）のいずれかに記載の表示装置におけるキー画面の表示方法を、表示装置のコンピュータに実行させることができる。
【００１９】
前項（１２）に記載の発明によれば、前項（１０）に記載の画像形成装置におけるキー画面の表示方法を、画像形成装置のコンピュータに実行させることができる。
【図面の簡単な説明】
【００２０】
【図１】この発明の一実施形態に係る表示装置が用いられた画像形成装置の外観を示す斜視図である。
【図２】画像形成装置の電気的な構成を示すブロック図である。
【図３】表示部に表示されたコピーモードにおけるコピー設定画面を示す図である。
【図４】キー画面を構成する表示セルを示す図である。
【図５】各入力エリアと受付可能な入力値との関係を規定した入力エリア管理テーブルを示す図である。
【図６】キー管理テーブルを示す図である。
【図７】表示部に表示されたコピーモードにおける用紙サイズ設定画面を示す図である。
【図８】この実施形態で表示されるキー画面をまとめた図である。
【図９】画像形成装置の表示装置で実行されるキー画面の表示処理を示すフローチャートである。
【図１０】受付可能な入力値の範囲の異なる２つの入力エリアが表示された設定画面において、一方の入力エリアが選択された場合と他方の入力エリアが選択された場合に表示されるキー画面を説明するための図である。
【図１１】入力エリア管理テーブルの他の例を示す図である。
【図１２】図１１に示す管理テーブルで入力エリアの管理がなされているときのキー画面の表示処理を説明するための図である。
【図１３】キー画面の他の表示例を示す図である。
【発明を実施するための形態】
【００２１】
以下、この発明の実施形態を図面に基づいて説明する。
【００２２】
図１は、この発明の一実施形態に係る表示装置が用いられた画像形成装置１の外観を示す斜視図である。この実施形態では、画像形成装置１として、前述した多機能デジタル画像形成装置であるＭＦＰが用いられている。以下の説明では、画像形成装置をＭＦＰともいう。
【００２３】
ＭＦＰ１は、正面上部に表示装置としての操作パネル部２を備えている。この操作パネル部２からユーザーがコピー開始の指示やコピー枚数の設定、プリントモードの指定等のキー入力を行う。この操作パネル部２には、液晶表示板（ＬＣＤ）等で構成された表示部２６０が設けられ、各種の設定画面やメッセージ等を表示するようになっている。
【００２４】
図２はＭＦＰ１の電気的な構成を示すブロック図である。
【００２５】
図２に示すように、ＭＦＰ１は操作パネル部２の他に、ＭＦＰ本体システム制御部１００と、画像読取部１１０と、印刷部１２０と、ファクシミリ（ＦＡＸ）送受信部１３０と、記憶部１４０等を備えている。
【００２６】
ＭＦＰ本体システム制御部１００はＭＦＰ１の全体を統括制御するものであり、メインＣＰＵ（図示せず）を備え、操作パネル部２を介して行われたユーザー操作に基づいて、コピー機能、プリント機能、ファクシミリ機能、スキャン機能等の各種機能を実行する。
【００２７】
画像読取部１１０は、セットされた原稿を読み取り、電子データである画像データを生成し、出力する。
【００２８】
印刷部１２０は、画像読取部１１０から出力された画像データや、パーソナルコンピュータ等の外部装置から送信された印刷データを、給紙カセット（図示せず）から給紙された用紙に印刷する。
【００２９】
ファクシミリ送受信部１３０は、電話回線を通じて外部のファクシミリ装置に画像データを送信し、あるいは外部のファクシミリ装置から画像データを受信する。
【００３０】
記憶部１４０は例えばハードディスク装置からなり、画像読取部１１０から出力された画像データや外部から送信されたデータ、アプリケーションその他の各種データを記憶する。
【００３１】
操作パネル部２は、パネルＣＰＵ２１０、ＲＯＭ２２０、ＲＡＭ２３０、ＬＣＤ制御部２４０、ＶＲＡＭ２５０、表示部２６０、ハードキー操作部２７０及び入出力制御部２８０を備えている。
【００３２】
パネルＣＰＵ２１０は、ＭＦＰ本体システム制御部１００と通信を行いながら、操作パネル部２の全体制御を行うものである。
【００３３】
ＲＯＭ２２０は、パネルＣＰＵ２１０が実行する動作プログラムや、表示部１６０に表示される画面データを含む表示画像データ等を記憶している。また、ＲＡＭ２３０は、パネルＣＰＵ２１０がＲＯＭ２２０に格納されている動作プログラムに従って動作する際の作業領域を提供する。
【００３４】
ＬＣＤ制御部２４０は、ＶＲＡＭ２５０のリードライト制御を行い、表示部２６０の表示制御を行っている。具体的には、ＲＯＭ２２０に記憶された画像データを、パネルＣＰＵ２１０の指示に基づいてＶＲＡＭ２５０に記憶させた後、それを読み出して表示部２６０に出力し表示させる。また、ユーザーがＭＦＰ１の各種機能に関わる設定やその他の設定を行う場合に、パネルＣＰＵ２１０の指示に基づいて、入力値の入力エリアを有する設定画面を表示部２６０に表示したり、入力エリアに入力値を入力するためのソフトキーを有するキー画面を表示させたりするが、これらの制御については後述する。
【００３５】
表示部２６０は、ＬＣＤタッチパネルからなる表示装置であり、上述した入力エリアを有する設定画面を始めとする各種の画面やメッセージ等を表示する。
【００３６】
ハードキー操作部２７０は、スタートキー、テンキー、パネルリセットキー等で構成される複数のハードキーや、ＭＦＰ１の状態を示すＬＥＤや、ハードキーまたは表示部２６０で入出力が行われた旨をユーザーに通知するためのブザー等から構成されている。
【００３７】
入出力制御部２８０は、表示部２６０をユーザーが直接タッチしたときに、タッチされたことを検出してそのタッチ位置を判断し、画面に表示された機能項目のうちどの機能項目が選択されたか等をパネルＣＰＵ２１０に通知し、機能設定等の入出力制御を行う。また、入出力制御部２８０はハードキー操作部２７０を制御し、必要に応じてパネルＣＰＵ２１０を介してＭＦＰ本体システム制御部１００との通信を行う。
【００３８】
なお、ＭＦＰ１においては、ハードキー操作部２７０内のスタートキーが押下されると、その旨が入出力制御部２８０、パネルＣＰＵ２１０を介してＭＦＰ本体システム制御部１００に送信され、コピー動作等の一連の動作が開始される。
【００３９】
次に、表示部２６０に入力値の入力エリアを有する設定画面が表示されたときの操作パネル部２（ＭＦＰ１）の動作を説明する。
【００４０】
図３は、表示部２６０に表示されたコピーモードにおけるコピー設定画面Ｄ１を例示するものである。この設定画面Ｄ１は印刷部数の入力エリア２６１を有している。
【００４１】
表示部２６０に設定画面Ｄ１が表示されたとき、あるいはユーザーがコピー部数を入力するために入力エリア２６１を選択したときに、コピー部数を入力するために使用されるキー画面３００が設定画面Ｄ１と同じ表示部２６０の画面内にポップアップ表示される。
【００４２】
キー画面３００はこの実施形態ではソフトテンキー画面からなる。キー画面３００は図４に示すように、入力値を入力するためのソフトキーが表示される矩形の表示セル３０１〜３１０、３２１、３２２を、横３列縦４列に亘って有している。
【００４３】
キー画面３００の各表示セル３０１〜３１１、３２１、３２２はセル毎に表示・非表示が制御される。また、この実施形態では、入力エリアが変わっても同じソフトキーが固定的に表示される固定セルと、表示されるソフトキーが入力エリアに応じて変化する可変セルが含まれている。具体的にはセル３０１〜３１０が固定セルであり、セル３２１及び３２２が可変セルに設定されている。そして、図４の太線で囲まれた固定セル３０１からなる領域が、共通キーが表示される固定領域となっており、可変セル３２１及び３２２からなる領域が個別キーが表示される可変領域となっている。
【００４４】
ここで、共通キーと個別キーについて説明する。入力エリアについては、全ての入力エリア毎にその入力エリアで受付可能な入力値は予め決まっている。例えば、印刷部数を入力する入力エリアでは数値のみが受け付けられる。また、印刷倍率や用紙サイズの入力エリアでは、数値に加えて小数点が受け付けられる。これによって例えば１０．５等の入力が可能となる。また、ファクシミリの宛先設定やＦコードの入力エリアでは、数値に加えて＃及び＊が受け付けられる。また、ページ番号の入力エリアでは、数値に加えて、ページ番号の＋と−を切り替えるための＊が受け付けられる。
【００４５】
このような各入力エリアと受付可能な入力値との関係を図５の入力エリア管理テーブルに示す。この入力エリア管理テーブルは、例えばＲＯＭ２２０等に予め記憶されている。
【００４６】
図５の例では、入力エリア１及び入力エリア５については、受付可能な入力値は数値のみであり、入力エリア２については受付可能な入力値は数値と小数点であり、入力エリア３については受付可能な入力値は数値と＃及び＊であり、入力エリア４及び入力エリア６については、受付可能な入力値は数値と＊であることが示されている。
【００４７】
そして、入力対象の入力エリアが表示されたとき、あるいはユーザーによって選択されたときに、図５の入力エリア管理テーブルを参照して、その入力エリアに対応する受付可能な入力値の範囲が判定され、判定された範囲の入力値のみがキー画面３００に表示されるようになっている。
【００４８】
また、数値は各入力エリアで共通して受付可能な入力値である。そこで、この実施形態では図６のソフトキー管理テーブルに示すように、数値を入力するための１〜０の数値キーは共通キーとして設定されており、キー画面３００の固定領域を形成する固定セル３０１〜３１０に表示される設定となっている。また、どの数値がどのセルに表示されるかも、予め設定されている。つまり、共通キーは各入力エリアで共通して受付可能な入力値を入力するためのソフトキーであり、この実施形態では図６のソフトキー管理テーブルによって定義されている。
【００４９】
一方、数値以外の小数点、＃及び＊は、入力エリアに応じて受け付けられる入力値であるため、図６のソフトキー管理テーブルに示すように個別キーとして設定されており、キー画面３００の可変領域を形成する可変セル３２１、３２２に表示される設定となっている。つまり、個別キーは共通キー以外の各入力エリアに応じて受け付けられる入力値を入力するためのソフトキーであり、この実施形態では図６のソフトキー管理テーブルによって定義されている。
【００５０】
なお、共通キーや個別キーをソフトキー管理テーブルで定義するのではなく、全ての入力エリアの入力に使用されるソフトキーであれば共通キーとし、そうでなければ個別キーとしても良い。あるいは、全ての入力エリアではなく、一定の閾値以上の数の入力エリアの入力に使用される場合は共通キーとし、そうでなければ個別キーとしても良い。
【００５１】
図３の例では、入力エリア２６１がコピー部数の入力エリアであるため数値のみを入力できれば良く、図５の入力エリア管理テーブルにおける入力エリア１に相当する。
【００５２】
このため、受付可能な入力値は数値のみと判定され、図３に示すように、１〜０の数値キーが固定領域のセル３０１〜３１０に左上のセル３０１から順に横並びで表示されるとともに、可変セル３２１及び３２２には何も表示されていないキー画面３００が表示される。なお、キー画面３００の下端部に表示された符号３３１で示すソフトキーは、入力を取り消すためのキャンセルキーであり、符号３３２で示すソフトキーは、キー画面３００の表示を閉じるための閉じるキーであり、これらのキャンセルキー３３１及び閉じるキー３３２は、全てのキー画面３００内に常に表示される。
【００５３】
ユーザーは、キー画面３００に表示された各数値キーを用いて、コピー部数の入力を行えば良い。
【００５４】
図７は、表示部２６０に表示されたコピーモードにおける用紙サイズ設定画面Ｄ２を例示するものである。この設定画面Ｄ２は用紙の縦サイズ及び横サイズを設定するための入力エリア２６２、２６３を有している。
【００５５】
表示部２６０に設定画面Ｄ２が表示されたとき、あるいはユーザーがコピー部数を入力するために入力エリア２６２または２６３を選択したときに、用紙サイズを入力するためのキー画面３００が設定画面Ｄ２と同じ表示部２６０の画面内にポップアップ表示される。
【００５６】
用紙サイズの入力エリアは数値及び小数点のみを入力できれば良く、図５の入力エリア管理テーブルの例えば入力エリア２に相当する。
【００５７】
このため、受付可能な入力値は数値と小数点のみと判定され、図７に示すように、共通キーである１〜０の数値キーが固定領域のセル３０１〜３１０に、左上のセル３０１から順に横並びで表示され、可変セル３２２に個別キーである小数点キーが表示され、可変セル３２１には何も表示されていないキー画面３００が、表示される。
【００５８】
ユーザーは、キー画面３００に表示された数値キーと小数点キーを用いて、用紙サイズの入力を行えばよい。
【００５９】
このように、この実施形態では、入力エリア２６１〜２６３で受付可能な入力値の範囲が判定され、判定された受付可能な範囲の入力値に対応するソフトキーのみがキー画面３００に表示されるから、入力エリア２６１〜２６３で受け付けられない入力値に対応するソフトキーが無駄に表示されることはない。このため、ユーザーが無駄なソフトキーをタッチすることがなくなるから、入力間違いがなくなり操作性が良くなる。しかも、入力値が受け付けられないことを知らせるためのエラー音が発生することもないから、エラー音が煩わしいといった問題を解消できる。
【００６０】
さらに、キー画面３００には、共通キーである数値キーが固定領域に表示され、共通キー以外の個別キーはキー画面の可変領域に表示されるから、入力エリアが異なることにより異なるキー画面３００が表示されても、共通キーである数値キーはキー画面３００内の同じ位置に表示される。このため、共通キーと個別キーとが区別されることなく不規則に表示されて共通キーが表示される度に共通キーの位置が変わってしまい、ユーザーがキーを打ち間違えるといった不都合が発生する恐れはなくなり、操作性のさらなる向上に資することができる。
【００６１】
図８は、この実施形態で表示されるキー画面３００をまとめた図である。同図（Ａ）は、受付可能な入力値の範囲が数値のみの入力エリアに対して表示されるキー画面３００の図であり、図３に示したコピー部数設定画面で表示されるキー画面と同じであり、図５の入力エリア管理テーブルの入力エリア１、５に対して表示されるキー画面である。このキー画面３００では、固定セル３０１〜３１０に０〜９の数値キーが表示され、可変セル３２１、３２２には何も表示されない表示形態となっている。
【００６２】
図８（Ｂ）は、受付可能な入力値の範囲が数値と小数点である入力エリアに対して表示されるキー画面３００の図であり、図７に示した用紙サイズ設定画面で表示されるキー画面と同じであり、図５の入力エリア管理テーブルの入力エリア２に対して表示されるキー画面である。このキー画面３００では、固定セル３０１〜３１０に０〜９の数値キーが表示され、小数点キーが可変セル３２２に表示され、可変セル３２１には何も表示されない表示形態となっている。
【００６３】
図８（Ｃ）は、受付可能な入力値の範囲が数値と＃及び＊である入力エリアに対して表示されるキー画面３００の図であり、図５の入力エリア管理テーブルの入力エリア３に対して表示されるキー画面である。このキー画面３００では、固定セル３０１〜３１０に０〜９の数値キーが表示され、＊キーが可変セル３２１に表示され、＃キーが可変セル３２２に表示された表示形態となっている。
【００６４】
図８（Ｄ）は、受付可能な入力値の範囲が数値と＊である入力エリアに対して表示されるキー画面３００の図であり、図５の入力エリア管理テーブルの入力エリア４及び６に対して表示されるキー画面である。このキー画面３００では、固定セル３０１〜３１０に０〜９の数値キーが表示され、＊キーが可変セル３２１に表示され、可変セル３２２には何も表示されない表示形態となっている。
【００６５】
図８に示すいずれのキー画面３００においても、共通キーである数値キーは固定領域の固定セル３０１〜３１０に表示され、個別キーである小数テンキー、＃キー及び＊キーは、いずれも可変領域の可変セル３２１または３２２に表示される。
【００６６】
図９は、ＭＦＰ１の表示装置２で実行されるキー画面の表示処理を示すフローチャートである。この処理は、表示装置２（ＭＦＰ１）のパネルＣＰＵ２１０がＲＯＭ２２０等に格納された動作プログラムに従って動作することにより実行される。
【００６７】
ステップＳ０１で、ユーザー操作に基づいて、入力エリアを有する設定画面を表示部２６０に表示する。ステップＳ０２では、入力エリアが選択されたかどうかを判断し、選択されなければ（ステップＳ０２でＮＯ）、選択されるまで待つ。
【００６８】
入力エリアが選択されると（ステップＳ０２でＹＥＳ）、ステップＳ０３で、選択された入力エリアで受付可能な入力値の範囲を、図５の入力エリア管理テーブルから判定する。
【００６９】
次いでステップＳ０４で、判定した受付可能な入力値のそれぞれについて、対応するソフトキーは共通キーか個別キーかを図６のソフトキー管理テーブルに基づいて判定する。例えば、受付可能な入力値が１〜０の数値キーと小数点キーである場合は、１〜０の数値キーと小数点キーのそれぞれについて、共通キーか個別キーかを判定する。
【００７０】
判定対象のソフトキーが共通キーであれば（ステップＳ０４でＹＥＳ）、ステップＳ０５で固定領域のセルに表示したのち、ステップＳ０６に進む。共通キーでなければ（ステップＳ０４でＮＯ）、ステップＳ０７で可変領域のセルに表示したのち、ステップＳ０６に進む。
【００７１】
なお、テンキーにおいて１〜０数値キーは必ず表示されるキーであるから、テンキー画面３００を表示するときは、数値キーについては共通キーか否かの判定を行うことなく、そのまま固定領域に表示し、数値キー以外のキーについて共通キーか個別キーの判定を行う構成としても良い。
【００７２】
ステップＳ０６では、次の判定対象のソフトキーがあるかどうかを調べ、あれば（ステップＳ０６でＹＥＳ）、ステップＳ０４に戻って、ステップＳ０４〜Ｓ０７の処理を繰り返す。受付可能な入力値に対応する全てのソフトキーについて、共通キー可否別キーかの判定及び表示処理が終了すると（ステップＳ０６でＮＯ）、キー画面の表示処理を終了する。
【００７３】
図９のフローチャートで説明した処理により、選択された入力エリアで受付可能な入力値のみが、キー画面３００に表示されることになり、また受付可能な入力値のうち共通キーが固定領域に個別キーが可変領域に表示されることになる。
【００７４】
なお、図９の処理では、ステップＳ０４における共通キーか個別キーかの判定を、図６のソフトキー管理テーブルに基づいて行う構成とした。しかし、これに限定されることはなく、受付可能な範囲の入力値に対応する各キーが他の入力エリアの入力に使用されるかどうかを、図５の入力エリア管理テーブル等に基づいて調べ、全ての入力エリアの入力に使用されるソフトキーであれば共通キーと判定し、そうでなければ個別キーと判定しても良い。あるいは、全ての入力エリアではなく、一定の閾値以上の数の入力エリアの入力に使用される場合は共通キー、そうでなければ個別キーと判定しても良い。
【００７５】
図１０は、受付可能な入力値の範囲が異なる複数個（この例では２個）の入力エリア２６４及び２６５が表示された設定画面Ｄ３において、入力エリア２６４が選択された場合と入力エリア２６５が選択された場合に表示されるキー画面を説明するための図である。
【００７６】
なお、入力エリア２６４は受付可能な入力値の範囲が数値のみであり、図５の入力エリア管理テーブルにおける入力エリア１に相当するものとし、入力エリア２６５は受付可能な入力値の範囲が数値と♯と＊であり、図５の入力エリア管理テーブルにおける入力エリア３に相当するものとする。
【００７７】
図１０（Ａ）に示すように、ユーザーが入力エリア２６４をタッチして選択すると、上側の白抜き矢印のように、図５の入力エリア管理テーブルから、入力エリア２６４で受付可能な入力値の範囲が判定され、受付可能な入力値が数値のみと判定される。そして、図１０（Ｂ）に示すキー画面３００の各セル３０１〜３１０に、数値キーのそれぞれが配置され、同図（Ｃ）のような、数値キーが固定領域の各セル３０１〜３１０に表示されたキー画面３００が画面Ｄ３にポップアップ表示される。
【００７８】
この状態で、ユーザーが入力エリア２６５をタッチして選択を切り替えると、下側の白抜き矢印のように、図５の入力エリア管理テーブルから、入力エリア２６５で受付可能な入力値の範囲が判定され、受付可能な入力値が数値と♯と＊と判定される。そして、図１０（Ｄ）に示すキー画面３００の各セル３０１〜３１０に数値キーが、セル３２２、３２１にそれぞれ♯キーと＊キーが配置され、同図（Ｅ）に示すような、数値キーが固定領域の各セル３０１〜３１０に表示され、♯キーが可変領域の可変セル３２２に表示され、＊キーが可変領域の可変セル３２１に表示されたキー画面３００が、画面Ｄ３にポップアップ表示される。つまり、入力エリア２６４と入力エリア２６５のうちいずれが選択されたかに応じて、キー画面３００の可変領域の個別キーの表示が切り替わる。
【００７９】
このように、受付可能な入力値の範囲が異なる複数の入力エリア２６４及び２６５が表示されている場合、ユーザーによって選択された入力エリアに応じて、キー画面３００の可変領域に表示される個別キーを切り替えて表示されるから、ユーザーは入力エリアの相違を気にすることなく、受付可能なソフトキーのみが表示されたキー画面を用いて入力値を入力することができる。
【００８０】
なお、図１０の例では設定画面が２個の入力エリアを有する場合を示したが、受付可能な入力値の範囲が異なる３個以上の入力エリアを有する設定画面においても、ユーザーが入力エリアを選択する毎に、キー画面３００が切替表示される。
【００８１】
以上の実施形態では、図５の入力エリア管理テーブルに示したように、各入力エリアで受付可能な入力値の範囲を入力エリア毎に管理する例を示したが、図１１に示すように、入力エリアで受付可能な入力値の範囲と入力エリアの種別とを対応付けておき、さらにこの入力エリアの種別と各入力エリアとを対応付けて管理しても良い。
【００８２】
即ち、図１１の入力エリア管理テーブルに示すように、受付可能な入力値の範囲が数値のみの入力エリアを入力エリアタイプ１とし、受付可能な入力値の範囲が数値と小数点の入力エリアを入力エリアタイプ２とし、受付可能な入力値の範囲が数値と♯と＊の入力エリアを入力エリアタイプ３とし、受付可能な入力値の範囲が数値と＊の入力エリアを入力エリアタイプ４とする。
【００８３】
そして、各入力エリアがどの入力エリアタイプに属するかを管理する。図１１の例では、入力エリア１及び５が入力エリアタイプ１に属し、入力エリア２が入力エリアタイプ２に属し、入力エリア３が入力エリアタイプ３に属し、入力エリア４及び６が入力エリアタイプ４に属している。なお、図１１に示す管理テーブルはＲＯＭ２２０等に予め記憶されている。
【００８４】
このような入力エリアの管理がなされているときのキー画面３００の表示処理を、図１２を参照して説明する。
【００８５】
図１２（Ａ）では、受付可能な入力値の範囲が異なる２個の入力エリア２６６及び２６７を有する設定画面Ｄ４が表示されている。入力エリア２６６は受付可能な入力値の範囲が数値のみであり、図１１の入力エリア管理テーブルにおける入力エリアタイプ１の入力エリア１に相当するものとし、入力エリア２６７は受付可能な入力値の範囲が数値と＊であり、図１１の入力エリア管理テーブルにおける入力エリアタイプ４の入力エリア４に相当するものとする。
【００８６】
図１２（Ａ）に示すように、ユーザーが入力エリア２６７をタッチして選択すると、図１１の入力エリア管理テーブルから、入力エリア２６７のタイプはタイプ４と判定され、受付可能な入力値が数値と＊であると判定される。そして、図１０（Ｂ）に示すキー画面３００の各セル３０１〜３１０、３２１にそれぞれのソフトキーが配置され、同図（Ｃ）のような、数値キーが固定領域の各セル３０１〜３１０に表示され、＊キーが可変セル３２１に表示されたキー画面３００が画面Ｄ４にポップアップ表示される。入力エリア２６６が選択された場合も、同様にして、数値キーが固定領域の各セル３０１〜３１０に表示されたキー画面３００が表示される。
【００８７】
このように、入力エリアで受付可能な入力値の範囲と入力エリアの種別とを対応付けて管理するとともに、入力エリアの種別と各入力エリアとを対応付けて管理する管理テーブルに基づいて、判定対象の入力エリアにおける受付可能な入力値の範囲が判定されるから、入力エリア毎に受付可能な入力値の範囲を管理する煩わしさを解消することができる。
【００８８】
以上、本発明の一実施形態を説明したが、本発明は上記実施形態に限定されることはない。例えば、入力エリアを有する設定画面が表示部２６０に表示されたとき、または入力エリアがユーザーによって選択されたときに、キー画面３００が表示部２６０の画面内にポップアップ表示される構成とした。しかし、キー画面３００はポップアップ画面ではなく、図１３に示すように、表示部２６０の画面内の例えば幅方向の一端側に固定的に表示しておき、入力エリアを有する設定画面が表示されたとき、あるいは入力エリアが選択されたときに、キー画面３００の表示内容を切り替える構成としても良い。
【００８９】
また、共通キーが数値キーであり、個別キーが少数テンキー、♯キー、＊キーである場合を説明したが、共通キーや個別キーはこれらのキーに限定されることはない。また、キー画面のセルの数も限定されることはない。
【００９０】
また、キー画面がテンキー画面である場合を説明したが、アルファベットキーや数値キーを備えたソフトキーボード画面であっても良い。この場合も、表示された入力エリアで受付可能な入力値を入力するためのソフトキーのみが表示され、また数値キー等を共通キーとしてソフトキーボードの固定セルで構成される固定領域に表示し、個別キーを可変セルに表示すれば良い。
【００９１】
また、表示装置２はＭＦＰ１だけでなく、スマートフォンやタブレット端末等の情報処理装置やその他の装置に用いられても良い。
【符号の説明】
【００９２】
１      画像形成装置
２      操作パネル（表示装置）
１００  本体制御部
２１０  パネルＣＰＵ
２２０  ＲＯＭ
２３０  ＲＡＭ
２６０  表示部
２６１〜２６９  入力エリア
３００  キー画面
３０１〜３１０  固定領域を形成する固定セル
３２１、３２２  可変領域を形成する可変セル
【図１】
2017151747.tif 000003
【図２】
2017151747.tif 000004
【図３】
2017151747.tif 000005
【図４】
2017151747.tif 000006
【図５】
2017151747.tif 000007
【図６】
2017151747.tif 000008
【図７】
2017151747.tif 000009
【図８】
2017151747.tif 000010
【図９】
2017151747.tif 000011
【図１０】
2017151747.tif 000012
【図１１】
2017151747.tif 000013
【図１２】
2017151747.tif 000014
【図１３】
2017151747.tif 000015